(57)【要約】【課題】  ユーザの簡単な入力操作で、ユーザ相関図を作成可能とする。【解決手段】  ユーザは、携帯電話機１等の端末装置を介して、相関情報作成サーバ装置３に自分の顔写真を登録しておき、以後、所望のタイミングでカメラ画像をアップロードする。相関情報作成サーバ装置３は、ユーザからユーザ相関図の作成要求がなされた際に、予め登録されている当該ユーザの顔写真に基づいて、当該ユーザからアップロードされているカメラ画像に対して顔認識処理を施し、当該ユーザ本人、及び該ユーザ本人と共に写っている共写ユーザ間の相関関係を判別し、各ユーザ間の相関関係を示すユーザ相関図を作成する。ユーザは、自分の顔写真を登録しておき、以後、所望のタイミングで、相関情報作成サーバ装置３に対してカメラ画像をアップロードするだけの簡単な入力操作を行うだけで、自分が希望した際に、該自分を中心とするユーザ相関図を取得することができる。【選択図】  図１
2009251832.tif 000002
【特許請求の範囲】
【請求項１】
少なくとも各ユーザの顔画像、及び各ユーザ毎に登録されたカメラ画像を記憶する記憶部と、
ユーザ相関図作成時において、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する相関関係判別部と、
上記相関関係判別部により判別された共写ユーザと同一のユーザの顔画像を上記記憶部から検出する共写ユーザ検出部と、
上記記憶部に記憶されている上記ユーザ相関図の作成要求を行ったユーザ本人の顔画像、上記共写ユーザ検出部により上記記憶部から検出された上記共写ユーザの顔画像を表示すると共に、上記相関関係判別部により判別された上記ユーザ本人及び共写ユーザの相関関係を示す相関関係情報を表示したユーザ相関図を作成するユーザ相関図作成部と
を有するユーザ相関図作成装置。
【請求項２】
請求項１に記載のユーザ相関図作成装置であって、
上記ユーザ相関図作成部は、上記共写ユーザ検出部により、上記共写ユーザと同一のユーザの顔画像が上記記憶部から検出されない場合、ユーザ相関図に対して、この記憶部から検出されない共写ユーザの顔写真を非表示とする
ユーザ相関図作成装置。
【請求項３】
請求項１又は請求項２に記載のユーザ相関図作成装置であって、
上記記憶部には、上記各ユーザの顔画像、及び上記各ユーザ毎に登録されたカメラ画像と共に、各ユーザの連絡先情報が記憶されており、
上記ユーザ相関図の作成要求を行ったユーザから、上記作成したユーザ相関図に基づいて所望のユーザが選択され、このユーザの連絡先情報の取得要求がなされた際に、この取得要求がなされた連絡先情報を上記記憶部から読み出し、上記ユーザ相関図の作成要求を行ったユーザの端末装置に対して送信する連絡先情報送信部を有する
ユーザ相関図作成装置。
【請求項４】
請求項１から請求項３のうち、いずれか一項に記載のユーザ相関図作成装置であって、
上記記憶部には、上記各ユーザの顔画像、及び上記各ユーザ毎に登録されたカメラ画像と共に、各ユーザのユーザ名、及びユーザ識別情報が少なくとも記憶されており、
上記ユーザ相関図作成部は、作成するユーザ相関図の範囲に応じて、上記顔写真、上記ユーザ名、上記ユーザ識別情報を選択的に該ユーザ相関図に表示する
ユーザ相関図作成装置。
【請求項５】
記憶制御部が、少なくとも各ユーザの顔画像、及び各ユーザ毎に登録されたカメラ画像を記憶部に記憶するステップと、
ユーザ相関図作成時において、相関関係判別部が、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別するステップと、
共写ユーザ検出部が、上記ステップで判別された共写ユーザと同一のユーザの顔画像を上記記憶部から検出するステップと、
ユーザ相関図作成部が、上記記憶部に記憶されている上記ユーザ相関図の作成要求を行ったユーザ本人の顔画像、上記ステップで上記記憶部から検出された上記共写ユーザの顔画像を表示すると共に、上記ステップで判別された上記ユーザ本人及び共写ユーザの相関関係を示す相関関係情報を表示したユーザ相関図を作成するステップと
を有するユーザ相関図作成方法。
【請求項６】
少なくとも各ユーザの顔画像、及び各ユーザ毎に登録されたカメラ画像を記憶部に記憶する記憶制御部としてコンピュータを機能させ、
ユーザ相関図作成時において、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する相関関係判別部としてコンピュータを機能させ、
コンピュータを上記相関関係判別部として機能させることで判別された共写ユーザと同一のユーザの顔画像を上記記憶部から検出する共写ユーザ検出部としてコンピュータを機能させ、
上記記憶部に記憶されている上記ユーザ相関図の作成要求を行ったユーザ本人の顔画像、コンピュータを上記共写ユーザ検出部として機能させることで上記記憶部から検出された上記共写ユーザの顔画像を表示すると共に、コンピュータを上記相関関係判別部として機能させることで判別された上記ユーザ本人及び共写ユーザの相関関係を示す相関関係情報を表示したユーザ相関図を作成するユーザ相関図作成部としてコンピュータを機能させる
ユーザ相関図作成プログラム。
【請求項７】
少なくともユーザの顔画像、及び所望のカメラ画像を送信する端末装置と、
上記端末装置を介して送信された上記ユーザの顔画像、及び上記所望のカメラ画像を記憶する記憶部と、ユーザ相関図作成時において、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する相関関係判別部と、上記相関関係判別部により判別された共写ユーザと同一のユーザの顔画像を上記記憶部から検出する共写ユーザ検出部と、上記記憶部に記憶されている上記ユーザ相関図の作成要求を行ったユーザ本人の顔画像、上記共写ユーザ検出部により上記記憶部から検出された上記共写ユーザの顔画像を表示すると共に、上記相関関係判別部により判別された上記ユーザ本人及び共写ユーザの相関関係を示す相関関係情報を表示したユーザ相関図を作成して、上記端末装置に送信するユーザ相関図作成部とを備えたサーバ装置と
を有するユーザ相関図作成システム。
【発明の詳細な説明】
【技術分野】
【０００１】
本発明は、各ユーザ間の相関関係を示す相関関係情報を提供するネットワーク上のサーバ装置等に適用して好適なユーザ相関図作成装置、ユーザ相関図作成方法、ユーザ相関図作成プログラム、及び各ユーザ間の相関関係を示す相関関係情報を提供するシステムに適用して好適なユーザ相関図作成システムに関する。
特に、例えば携帯電話機、ＰＨＳ電話機（PHS：Personal Handyphone System）、ＰＤＡ装置（PDA：Personal Digital Assistant）、携帯ゲーム機、ノート型或いはデスクトップ型のパーソナルコンピュータ装置等の端末装置を介して各ユーザからアップロードされたカメラ撮像画像に基づいて、該各ユーザ間の相関関係を示す相関関係情報を検出して該各ユーザに提供するユーザ相関図作成装置、ユーザ相関図作成方法、ユーザ相関図作成プログラム、及びユーザ相関図作成システムに関する。
【背景技術】
【０００２】
今日において、各ユーザ間の相関関係を示す相関関係情報を提供するシステムが知られている。例えば、特開２００３−１３２１５８号の公開特許公報（特許文献１）には、各ユーザが自分の人脈情報を登録し、それら登録された人脈情報に基づき複合的な人脈関係を求める人脈情報管理システムが開示されている。この人脈情報管理システムの場合、人脈関係の情報から、例えばユーザに対し、そのユーザと人脈関係の強い人のリストを提供する機能を有している。
【０００３】
【特許文献１】特開２００３−１３２１５８号公報（第６頁〜第７頁、図１）
【発明の開示】
【発明が解決しようとする課題】
【０００４】
しかし、上述の特許文献１に開示されている人脈情報管理システムの場合、人脈関係を求めるための基礎情報を、各ユーザが手入力により行うようになっているため、この入力の負担が大きいという問題がある。
【０００５】
本発明は、上述の課題に鑑みてなされたものであり、簡単な入力操作で、各ユーザ間の相関関係を示す相関関係情報を提供することが可能なユーザ相関図作成装置、ユーザ相関図作成方法、ユーザ相関図作成プログラム、及びユーザ相関図作成システムの提供を目的とする。
【課題を解決するための手段】
【０００６】
本発明に係るユーザ相関図作成装置は、上述の課題を解決するために、
少なくとも各ユーザの顔画像、及び各ユーザ毎に登録されたカメラ画像を記憶する記憶部と、
ユーザ相関図作成時において、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する相関関係判別部と、
上記相関関係判別部により判別された共写ユーザと同一のユーザの顔画像を上記記憶部から検出する共写ユーザ検出部と、
上記記憶部に記憶されている上記ユーザ相関図の作成要求を行ったユーザ本人の顔画像、上記共写ユーザ検出部により上記記憶部から検出された上記共写ユーザの顔画像を表示すると共に、上記相関関係判別部により判別された上記ユーザ本人及び共写ユーザの相関関係を示す相関関係情報を表示したユーザ相関図を作成するユーザ相関図作成部と
を有する。
【０００７】
また、本発明に係るユーザ相関図作成方法は、上述の課題を解決するために、
記憶制御部が、少なくとも各ユーザの顔画像、及び各ユーザ毎に登録されたカメラ画像を記憶部に記憶するステップと、
ユーザ相関図作成時において、相関関係判別部が、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別するステップと、
共写ユーザ検出部が、上記ステップで判別された共写ユーザと同一のユーザの顔画像を上記記憶部から検出するステップと、
ユーザ相関図作成部が、上記記憶部に記憶されている上記ユーザ相関図の作成要求を行ったユーザ本人の顔画像、上記ステップで上記記憶部から検出された上記共写ユーザの顔画像を表示すると共に、上記ステップで判別された上記ユーザ本人及び共写ユーザの相関関係を示す相関関係情報を表示したユーザ相関図を作成するステップと
を有する。
【０００８】
また、本発明に係るユーザ相関図作成プログラムは、上述の課題を解決するために、
少なくとも各ユーザの顔画像、及び各ユーザ毎に登録されたカメラ画像を記憶部に記憶する記憶制御部としてコンピュータを機能させ、
ユーザ相関図作成時において、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する相関関係判別部としてコンピュータを機能させ、
コンピュータを上記相関関係判別部として機能させることで判別された共写ユーザと同一のユーザの顔画像を上記記憶部から検出する共写ユーザ検出部としてコンピュータを機能させ、
上記記憶部に記憶されている上記ユーザ相関図の作成要求を行ったユーザ本人の顔画像、コンピュータを上記共写ユーザ検出部として機能させることで上記記憶部から検出された上記共写ユーザの顔画像を表示すると共に、コンピュータを上記相関関係判別部として機能させることで判別された上記ユーザ本人及び共写ユーザの相関関係を示す相関関係情報を表示したユーザ相関図を作成するユーザ相関図作成部としてコンピュータを機能させる。
【０００９】
また、本発明に係るユーザ相関図作成システムは、上述の課題を解決するために、
少なくともユーザの顔画像、及び所望のカメラ画像を送信する端末装置と、
上記端末装置を介して送信された上記ユーザの顔画像、及び上記所望のカメラ画像を記憶する記憶部と、ユーザ相関図作成時において、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する相関関係判別部と、上記相関関係判別部により判別された共写ユーザと同一のユーザの顔画像を上記記憶部から検出する共写ユーザ検出部と、上記記憶部に記憶されている上記ユーザ相関図の作成要求を行ったユーザ本人の顔画像、上記共写ユーザ検出部により上記記憶部から検出された上記共写ユーザの顔画像を表示すると共に、上記相関関係判別部により判別された上記ユーザ本人及び共写ユーザの相関関係を示す相関関係情報を表示したユーザ相関図を作成して、上記端末装置に送信するユーザ相関図作成部とを備えたサーバ装置と
を有する。
【００１０】
このような本発明は、少なくとも各ユーザの顔画像、及び各ユーザ毎に登録されたカメラ画像を記憶部に記憶しておき、ユーザ相関図作成時となると、当該ユーザ相関図の作成要求を行ったユーザの顔画像に基づいて、当該ユーザ相関図の作成要求を行ったユーザにより上記記憶部に登録されているカメラ画像を参照することで、該カメラ画像に写っている上記ユーザ相関図の作成要求を行ったユーザ本人、及び該ユーザ本人と共に上記カメラ画像に写っているユーザである共写ユーザを判別し、各ユーザ間の相関関係を判別する。
【００１１】
そして、この判別した共写ユーザと同一のユーザの顔画像を上記記憶部から検出し、上記記憶部に記憶されている上記ユーザ相関図の作成要求を行ったユーザ本人の顔画像、上記記憶部から検出された上記共写ユーザの顔画像を表示すると共に、上記ユーザ本人及び共写ユーザの相関関係を示す相関関係情報を表示したユーザ相関図を作成する。
【００１２】
これにより、ユーザは、当該ユーザの顔画像と、所望のカメラ画像を登録するだけの簡単な入力操作で、各ユーザ間の相関関係を示すユーザ相関図を取得可能とすることができる。
【発明の効果】
【００１３】
本発明は、ユーザの顔画像と、所望のカメラ画像を登録するだけの簡単な入力操作で、各ユーザ間の相関関係を示すユーザ相関図を作成可能とすることができる。
【発明を実施するための最良の形態】
【００１４】
本発明は、携帯電話機やパーソナルコンピュータ装置等の端末装置からアップロードされたカメラ撮像画像に基づいて、各ユーザ間の相関関係を示す相関関係図を自動的に作成して提供するユーザ相関図作成システムに適用することができる。
【００１５】
［実施の形態の構成］
〔システム構成〕
まず、図１に、当該実施の形態のユーザ相関図作成システムのシステム構成図を示す。この図１からわかるように、このユーザ相関図作成システムの場合、各ユーザの携帯電話機１やパーソナルコンピュータ装置２（ノート型或いはデスクトップ型）等の端末装置と、各ユーザの端末装置からアップロードされたカメラ撮像画像に基づいて、各ユーザ間の相関関係を示すユーザ相関図を作成して提供する相関情報作成サーバ装置３とを、インターネットやコミュニケションネットワーク等のネットワーク４を介して相互に接続することで構成されている。
【００１６】
〔携帯電話機の構成〕
図２に、上記携帯電話機１のブロック図を示す。この図２に示すように、携帯電話機１は、図１に示す基地局６との間で音声通話、テレビ電話通話、電子メール、Ｗｅｂデータ（Web：World Wide Web）等の無線通信を行うアンテナ１１及び通信回路１２と、受話音声等を出力するためのスピーカ部１３と、送話音声等を集音するためのマイクロホン部１４と、操作メニュー、電子メール、画像（静止画像及び動画像）等を表示するための表示部１５と、十字キー、決定キー、数字キー等の複数の操作キーを備えた操作部１６と、発着信等をユーザに光で通知するための発光部１７（ＬＥＤ）とを有している。
【００１７】
また、この携帯電話機１は、所望の被写体の静止画像或いは動画像を撮像するためのカメラ部１８と、当該携帯電話機の筐体を振動させて発着信等をユーザに通知するためのバイブレーションユニット１９と、時刻をカウントするタイマ２０と、上記基地局６を介した無線通信処理を行うためのコミュニケーションプログラムや各種アプリケーションプログラムの他、これら各アプリケーションプログラムで取り扱われる各種データ（コンテンツ）等が記憶されたメモリ２１と、当該携帯電話機全体の動作を制御する制御部２２とを有している。
【００１８】
メモリ２１には、上記コミュニケーションプログラムの他、カメラ部１８の撮像制御を行うためのカメラ制御プログラムと、電子メールの作成や送受信を制御するための電子メール管理プログラムと、ユーザのスケジュールが登録されたスケジュール帳の管理を行うためのスケジュール帳管理プログラムと、コミュニケーションネットワークやインターネット等の所定のネットワーク上に設けられたサーバ装置上で公開されているＷｅｂページを閲覧するためのＷｅｂブラウジングプログラムと、電話帳の管理を行うための電話帳管理プログラムと、音楽コンテンツの再生を行うための音楽プレーヤプログラムと、上記カメラ部１８等で撮像されたカメラ画像情報のアップロードや、相関情報作成サーバ装置３に対するユーザ相関図の作成要求、該作成されたユーザ相関図の取り込み等を行うためのユーザ相関アプリケーションプログラム等が記憶されている。
【００１９】
また、メモリ２１には、ユーザの所望のスケジュールが登録されるスケジュール帳と、ユーザの知人や友人等のユーザ名、静止画像（顔写真等）、住所、電話番号、電子メールアドレス、生年月日等が登録された電話帳と、音楽プレーヤプログラムに基づいて再生される音楽コンテンツと、カメラ制御プログラムのビューワ機能に基づいて再生され、或いはユーザ相関アプリケーションプログラムに基づいて上記相関情報作成サーバ装置３にアップロードされるカメラ画像（静止画像コンテンツ）及び動画像コンテンツと、送受信された電子メールコンテンツと、電話及び電子メールの発着信履歴等が記憶されている。
【００２０】
〔サーバ装置の構成〕
図３に、上記相関情報作成サーバ装置３のブロック図を示す。この図３に示すように、相関情報作成サーバ装置３は、図１に示す携帯電話機１やパーソナルコンピュータ装置２との間で通信を行う通信部３１と、この通信部３１における通信制御を行うためのコミュニケーションプログラム、後に説明するユーザ相関図の作成制御を行うためのユーザ相関図作成プログラム、及び各ユーザからアップロードされたカメラ画像に写っているユーザの中から同一のユーザを検出する制御を行うための同一ユーザ判別プログラム等が記憶されたメモリ３２とを有している。
【００２１】
また、この相関情報作成サーバ装置３は、メモリ３２に記憶されているコミュニケーションプログラムに基づいて、上記通信部３１を通信制御すると共に、メモリ３２に記憶されている同一ユーザ判別プログラムに基づいて同一ユーザ判別部３３として機能し、また、該メモリ３２に記憶されているユーザ相関図作成プログラムに基づいてユーザ相関図作成部３４として機能する制御部３５と、各ユーザからアップロードされたカメラ画像等を記憶するユーザデータベース５（ユーザＤＢ）とを有している。
【００２２】
［システム動作］
〔ユーザ登録〕
まず、このユーザ相関図作成システムを利用する各ユーザは、相関情報作成サーバ装置３に対してユーザ登録を行う。例えば、携帯電話機１を用いてユーザ登録を行う場合、ユーザは、基地局６及びネットワーク４を介して相関情報作成サーバ装置３との間の通信回線の確立を図り、ユーザ登録要求を行う。このユーザ登録要求がなされると、相関情報作成サーバ装置３は、ユーザの携帯電話機１に対して、ユーザ名、電子メールアドレス、電話番号、所望のパスワード等の所定の入力項目の入力欄、及び当該ユーザの顔写真（ユーザの顔が写っているカメラ画像）の添付欄を備えたユーザ登録画面を送信する。
【００２３】
ユーザは、このユーザ登録画面に対して、上記ユーザ名や所望のパスワード等を入力すると共に、自分の顔写真のカメラ画像を添付して、相関情報作成サーバ装置３に返信する。相関情報作成サーバ装置３は、ユーザから返信されたユーザ登録画面の各入力欄の入力内容をチェックし、不備が無ければ、ユーザＤＢ５に対して当該ユーザ用のユーザ領域を形成し、このユーザ領域に、上記ユーザの入力内容、及びユーザの顔写真を登録する。また、相関情報作成サーバ装置３は、この入力内容の登録と共に、当該ユーザに対して固有のユーザ識別番号（ユーザＩＤ）を発行し、これをユーザの携帯電話機１に送信する。これにより、当該システムに対するユーザ登録が完了する。
【００２４】
〔カメラ画像のアップロード〕
次に、このようなユーザ登録が正規に完了すると、このユーザは、携帯電話機１等の端末装置を介して所望の静止画像（主に、カメラ画像）をアップロードすることが可能となる。図４のフローチャートに、携帯電話機１における静止画像のアップロード動作の流れを示す。図２に示す携帯電話機１の制御部２２は、携帯電話機１のユーザが操作部１６を介してユーザ相関アプリケーションプログラムの起動操作が行われると、メモリ２１に記憶されているユーザ相関アプリケーションプログラムに基づいて、この図４のフローチャートに示す処理を開始する。
【００２５】
なお、この例では、携帯電話機１のユーザが操作部１６を介してユーザ相関アプリケーションプログラムの起動操作を行った際に、制御部２２が、メモリ２１に記憶されているユーザ相関アプリケーションプログラムを起動することとしたが、カメラ部１８で撮像が行われる毎に、制御部２２が、自動的に、このユーザ相関アプリケーションプログラムを起動してもよいし、カメラ部１８での撮像が終了したタイミングで、制御部２２が、自動的に、このユーザ相関アプリケーションプログラムを起動してもよい。また、当該携帯電話機１の設定として、上述のいずれかの起動方法をユーザが選択可能としてもよい。
【００２６】
ステップＳ１では、制御部２２が、図１に示す相関情報作成サーバ装置３に対して通信回線の接続を図るように、通信回路１２を通信制御し、該相関情報作成サーバ装置３との間の通信回線が確立されたタイミングで処理をステップＳ２に進める。
【００２７】
制御部２２は、この通信回線が確立されると、表示部１５に対して、ユーザＩＤ及びパスワードの入力画面を表示する。ユーザは、この入力画面に対して、先に相関情報作成サーバ装置３から発行されているユーザＩＤと、ユーザ登録時に登録した所望のパスワードを入力し、これらの送信操作を行う。制御部２２は、この送信操作がなされると、ユーザにより入力されたユーザＩＤ及びパスワードを相関情報作成サーバ装置３に送信する。
【００２８】
相関情報作成サーバ装置３は、このユーザの携帯電話機１から送信されたユーザＩＤ及びパスワードと、ユーザＤＢ５に予め登録されている当該ユーザのユーザＩＤ及びパスワードとを比較し、両者が一致した場合に、ユーザ認証が成功した旨の情報を該ユーザの携帯電話機１に送信する。図４のフローチャートのステップＳ２では、制御部２２が、相関情報作成サーバ装置３から、このユーザ認証が成功した旨の情報を受信したか否かを判別しており、ユーザ認証が成功した旨の情報を受信したものと判別した場合は処理をステップＳ３に進め、ユーザ認証に失敗した旨の情報を受信したものと判別した場合は、そのまま、この図４のフローチャートに示す処理を終了する。
【００２９】
次に、ユーザ認証が成功した旨の情報を受信したものと判別することで処理をステップＳ３に進めると、制御部２２は、メモリ２１に保存されているカメラ画像を取得して、処理をステップＳ４に進める。具体的には、制御部２２は、メモリ２１に保存されているカメラ画像が１枚である場合、このカメラ画像をそのまま取得し、メモリ２１に保存されているカメラ画像が複数枚である場合、例えば「アップロードする画像を選択してください」等のメッセージを表示部１５に表示し、ユーザにより選択されたカメラ画像を該メモリ２１から取得する。
【００３０】
また、上述のようにカメラ部１８で撮像が行われる毎にユーザ相関アプリケーションプログラムを起動する場合、制御部２２は、このユーザ相関アプリケーションプログラムを起動する直前に撮像されたカメラ画像をメモリ２１から取得する。
【００３１】
また、カメラ部１８での撮像が終了したタイミングでユーザ相関アプリケーションプログラムを起動する場合、制御部２２は、このユーザ相関アプリケーションプログラムを起動する直前に撮像された１枚或いは複数枚のカメラ画像をメモリ２１から取得する。なお、複数枚のカメラ画像を取得した場合、制御部２２は、例えば「アップロードする画像を選択してください」等のメッセージを表示部１５に表示し、ユーザにより選択されたカメラ画像を該メモリ２１から取得してもよい。
【００３２】
次に、このようにメモリ２１からカメラ画像を取得すると、制御部２２は、図４のステップＳ４において、この取得したカメラ画像の画像サイズ（データ量）は、このユーザ相関図作成システムで規定されている範囲内の画像サイズであるか否かを判別する。そして、取得したカメラ画像の画像サイズが、当該システムで規定されている範囲内の画像サイズであるものと判別した場合は処理をステップＳ５に進め、取得したカメラ画像の画像サイズが、当該システムで規定されている範囲よりも大きな画像サイズであるものと判別した場合は、ステップＳ６において、取得したカメラ画像の画像サイズを、当該システムで規定されている範囲内の画像サイズに縮小処理し、処理をステップＳ５に進める。
【００３３】
ステップＳ５では、制御部２２が、上記取得したカメラ画像を相関情報作成サーバ装置３に送信するように通信回路１２を制御して、この図４のフローチャートの全処理を終了する。
【００３４】
相関情報作成サーバ装置３は、ユーザの携帯電話機１から送信されたカメラ画像を、ユーザＤＢ５内の、当該ユーザのユーザ領域に保存する。これにより、ユーザの携帯電話機１から送信されたカメラ画像が相関情報作成サーバ装置３にアップロードされることとなる。
【００３５】
図５に、ユーザＤＢ５の登録内容を示す。この図５からわかるように、ユーザＤＢ５には、上述のユーザ登録時に登録された該各ユーザの１枚或いは複数枚の顔写真、各ユーザからアップロードされたカメラ画像等が、上述の入力内容と共に登録される。このように各ユーザからカメラ画像のアップロードが行われると、当該システムに登録されている各ユーザ間におけるユーザ相関図を作成することが可能となる。
【００３６】
〔ユーザ相関図の送信動作〕
図６のフローチャートに、相関情報作成サーバ装置３におけるユーザ相関図送信動作の流れを示す。ユーザ相関図の作成を希望するユーザは、携帯電話機１のメモリ２１に記憶されているユーザ相関アプリケーションプログラムを起動して、相関情報作成サーバ装置３との間の通信回線の確立を図り、ユーザ相関図の作成要求を行う。この図６のフローチャートは、携帯電話機１等のユーザの端末装置を介して、このようなユーザ相関図の作成要求がなされた際に、図３に示す当該相関情報作成サーバ装置３の制御部３５が、メモリ３２に記憶されているユーザ相関図作成プログラムに基づいて、処理を開始する。
【００３７】
ステップＳ１１では、制御部３５が、ユーザ相関図の作成要求を行ったユーザの端末装置からユーザＩＤ及びパスワードを取得して処理をステップＳ１２に進める。ステップＳ１２では、制御部３５が、このユーザの端末装置から取得したユーザＩＤ及びパスワードと、予めユーザＤＢ５に登録されている当該ユーザのユーザＩＤ及びパスワードとを比較することでユーザ認証処理を行い、ステップＳ１３において、現在、ユーザ相関図の作成要求がなされているユーザは、当該システムの正規のユーザであるか否かを判別する。そして、当該システムの正規のユーザではないものと判別した場合、処理をステップＳ１７に進め、例えば「パスワードが間違っています」等のエラーメッセージを該ユーザの端末装置に返信して、この図６のフローチャートに示す処理を終了する。この場合、当然のことながらユーザ相関図は作成されないこととなる。
【００３８】
これに対して、上記ステップＳ１３において、現在、ユーザ相関図の作成要求がなされているユーザが、当該システムの正規のユーザであるものと判別した場合、制御部３５は、処理をステップＳ１４に進め、図７のフローチャートを用いて後述するようにユーザ相関図を作成し、ステップＳ１５において、この作成したユーザ相関図を当該ユーザの端末装置に送信するように図３に示す通信部３１を制御する。そして、このユーザ相関図の送信後に、ステップＳ１６において、該ユーザの端末装置との間に確立されている通信回線を切断するように通信部３１を制御して、この図６のフローチャートに示す全処理を終了する。
【００３９】
〔ユーザ相関図の作成動作〕
次に、図６のフローチャートのステップＳ１４に示すユーザ相関図作成動作を説明する。このユーザ相関図の作成は、図３に示す相関情報作成サーバ装置３の制御部３５が、メモリ３２に記憶されている同一ユーザ判別プログラム、及びユーザ相関図作成プログラムに基づいて行う。なお、この例では、理解を容易とするために、図３において、同一ユーザ判別プログラム、及びユーザ相関図作成プログラムを別々に図示しているが、同一ユーザ判別プログラムは、ユーザ相関図作成プログラムに含まれているものと理解されたい。
【００４０】
すなわち、図６のフローチャートのステップＳ１３において、現在、ユーザ相関図の作成要求がなされているユーザが、当該システムの正規のユーザであるものと判別した場合、制御部３５は、図７のフローチャートのステップＳ２１に処理を進め、ユーザにより指定されたユーザ相関図の種類と作成範囲を検出して、処理をステップＳ２２に進める。
【００４１】
ここで、図８（ａ）及び図８（ｂ）に、ユーザ１がアップロードしたカメラ画像を示す。図８（ａ）は、ユーザ１を真ん中にして、ユーザ２及びユーザ３が写っているカメラ画像であるが、このカメラ画像の場合、本人であるユーザ１とユーザ２との相関関係は「直接相関」の相関関係となる。同様に、図８（ａ）のカメラ画像の場合、本人であるユーザ１とユーザ３との相関関係も「直接相関」の相関関係となる。これに対して、図８（ａ）のカメラ画像の場合、本人であるユーザ１と一緒に写っているユーザ２とユーザ３との相関関係は「準直接相関」の相関関係となる。
【００４２】
また、図８（ｂ）は、ユーザ１を真ん中にして、ユーザ４及びユーザ５が写っているカメラ画像であるが、このカメラ画像の場合、本人であるユーザ１とユーザ４との相関関係は「直接相関」の相関関係となる。同様に、図８（ｂ）のカメラ画像の場合、本人であるユーザ１とユーザ５との相関関係も「直接相関」の相関関係となる。これに対して、図８（ｂ）のカメラ画像の場合、本人であるユーザ１と一緒に写っているユーザ２とユーザ３との相関関係は「準直接相関」の相関関係となる。
【００４３】
一方、この図８（ａ）のカメラ画像と図８（ｂ）のカメラ画像とを見比べてわかるように、２枚のカメラ画像の他のユーザであるユーザ２、ユーザ３、ユーザ４及びユーザ５は、それぞれ本人であるユーザ１と一緒に写っている。このため、この２枚に写っている他のユーザ同士（＝ユーザ２〜ユーザ５）は、それぞれ「間接相関」の相関関係となる。
【００４４】
当該実施の形態のユーザ相関図作成システムの場合、ユーザ相関図の作成要求を行うユーザは、
「直接相関にあたるユーザのみのユーザ相関図」、
「直接相関及び準間接相関にあたるユーザのみのユーザ相関図」、
「直接相関、準直接相関、及び間接相関にあたるユーザのユーザ相関図」
の中から所望の種類のユーザ相関図を指定するようになっている。上記ステップＳ２１では、制御部３５が、このような種類のユーザ相関図のうち、ユーザにより指定されたユーザ相関図の種類を検出する。
【００４５】
また、図９は、制御部３５により作成されたユーザ相関図の一例を示しているのであるが、制御部３５は、後述するようにユーザ相関図の作成要求を行ったユーザ（この例の場合はユーザ１）の顔写真等のユーザ情報を中心として広がる同心状の複数の円を描画処理し、この各円上に、対応するユーザの顔写真等のユーザ情報を配置するようになっている。
【００４６】
各円は、相関関係の範囲を示す円となっており、ユーザ１から一つ目の円は直接相関、及び準直接相関の範囲を示す円となっている。また、ユーザ１から２つ目の円及び該２つ目の円以降の円は、それぞれ間接相関の範囲を示すようになっており、ユーザ１から２つ目の円は一間接相関の範囲を、ユーザ１から３つ目の円は二間接相関の範囲を、ユーザ１から４つ目の円は三間接相関の範囲を、それぞれ示すようになっている。
【００４７】
ユーザは、ユーザ相関図の作成要求を行う際に、例えば「直接相関の範囲」、「二間接相関の範囲」等のように、作成するユーザ相関図の範囲を指定するようになっている。上記ステップＳ２１では、制御部３５が、このようにユーザから指定されたユーザ相関図の範囲を検出する。
【００４８】
次に、図７のフローチャートのステップＳ２１では、制御部３５が、ユーザＤＢ５から、このユーザ相関図の作成要求を行ったユーザの代表画像（ユーザ登録時に登録された当該ユーザの顔写真）を取得して、処理をステップＳ２３に進める。ステップＳ２３では、制御部３５が、メモリ３２に記憶されている同一ユーザ判別プログラムに基づいて、同一ユーザ判別部３３として機能し、このユーザ相関図の作成要求を行ったユーザ本人がアップロードしている全てのカメラ画像に対して顔認識処理を施す。そして、本人を含む複数人で写っているカメラ画像を検出して処理をステップＳ２４に進める。
【００４９】
ステップＳ２４では、制御部３５が、上記同一ユーザ判別部３３として機能することで、上記本人を含む複数人が写っているカメラ画像に基づいて、該本人以外の他のユーザ（共写ユーザ）の顔画像を認識し、この共写ユーザの顔画像に基づいてユーザＤＢ５を参照することで、該共写ユーザのユーザ情報を取得する。
【００５０】
ここで、ユーザＤＢ５から上記共写ユーザのユーザ情報を取得できないということは、その共写ユーザは、当該システムに登録していないユーザであることを意味する。このため、ユーザＤＢ５から上記共写ユーザのユーザ情報を取得できない場合、制御部３５は、その共写ユーザを当該ユーザ相関図の作成から除外し、図９に示すユーザ相関図には反映させないようになっている。これにより、当該システムに登録しているユーザ間のみにおけるユーザ相関図を作成することができる。また、ユーザ本人と知り合いではないユーザがカメラ画像に写っている場合でも、この知り合いではないユーザを、作成するユーザ相関図から除外することができる（但し、この知り合いではないユーザが当該システムに登録しているユーザである場合は、ユーザ相関図に反映される場合もある。）。
【００５１】
次に、制御部３５は、メモリ３２に記憶されているユーザ相関図作成プログラムに基づいてユーザ相関図作成部３４として機能することで、図９に示すように中心にユーザ本人（この例の場合はユーザ１）の顔写真やユーザ名等のユーザ情報を配置すると共に、当該中心と同心となる一回り大きな円を描画処理し、この一回り大きな円上に、上記共写ユーザのユーザ情報（この例の場合は、共写ユーザ２及び共写ユーザ３のユーザ情報）を配置して、処理をステップＳ２６に進める。
【００５２】
ステップＳ２６では、制御部３５が、上記同一ユーザ判別部３３として機能することで、ユーザＤＢ５に登録されている各共写ユーザの顔写真に基づいて、該各共写ユーザによりアップロードされているカメラ画像に対して顔認識処理を施し、この共写ユーザ本人を含む複数人で写っているカメラ画像を検出して、処理をステップＳ２７に進める。
【００５３】
ステップＳ２７では、制御部３５が、上記同一ユーザ判別部３３として機能することで、ユーザ２及びユーザ３の共写ユーザ本人と共にカメラ画像に写っている共写ユーザの顔画像を認識し、この共写ユーザの顔画像に基づいてユーザＤＢ５を参照することで、該共写ユーザのユーザ情報を取得して、ステップＳ２８に処理を進める。
【００５４】
例えば、図９に示す例で説明すると、上記共写ユーザ２がアップロードしたカメラ画像から共写ユーザ４、共写ユーザ５、共写ユーザ１５を検出した場合には、制御部３５は、この共写ユーザ４、共写ユーザ５、共写ユーザ１５が登録している各顔写真に基づいてユーザＤＢを参照することで、該共写ユーザ４、共写ユーザ５、及び共写ユーザ１５のユーザ情報を取得する。
【００５５】
同様に、上記共写ユーザ３がアップロードしたカメラ画像から共写ユーザ１４及び共写ユーザ１５を検出した場合、制御部３５は、この共写ユーザ１４及び共写ユーザ１５が登録している各顔写真に基づいてユーザＤＢを参照することで、該共写ユーザ１４及び共写ユーザ１５のユーザ情報を取得する。なお、共写ユーザが当該システムに登録されたユーザではない場合は、ユーザ相関図から除外されることは上述のとおりである。
【００５６】
次に、ステップＳ２８では、制御部３５が上記ユーザ相関図作成部３４として機能することで、共写ユーザ本人のユーザ情報を配置した円よりも一回り大きな円を描画処理し、この一回り大きな円上に、共写ユーザ本人と共にカメラ画像に写っている共写ユーザのユーザ情報を配置して処理をステップＳ２９に進める。
【００５７】
具体的には、図９に示す共写ユーザ２がアップロードしたカメラ画像から共写ユーザ４、共写ユーザ５、共写ユーザ１５を検出した場合には、制御部３５は、上記ステップＳ２７でユーザＤＢ５から取得した共写ユーザ４、共写ユーザ５、共写ユーザ１５の各ユーザ情報を、共写ユーザ２のユーザ情報を配置した円よりも一回り大きな円上に配置する。同様に、共写ユーザ３がアップロードしたカメラ画像から共写ユーザ１４及び共写ユーザ１５を検出した場合、制御部３５は、上記ステップＳ２７でユーザＤＢ５から取得した共写ユーザ１４及び共写ユーザ１５の各ユーザ情報を、共写ユーザ３のユーザ情報を配置した円よりも一回り大きな円上に配置する。
【００５８】
次に、ステップＳ２９では、制御部３５が、このように各ユーザのユーザ情報を配置したユーザ相関図が、当該ユーザ相関図の作成要求を行ったユーザにより指定された範囲（上記ステップＳ２１の説明を参照）のユーザ相関図となったか否かを判別し、指定された範囲となったものと判別した場合は処理をステップＳ３０に進め、指定された範囲に満たない場合は、処理をステップＳ２６に戻し、例えば「一間接相関の範囲」、「二間接相関の範囲」等の、ユーザにより指定された範囲となるまでの間、上述のステップＳ２６〜ステップＳ２８の処理を繰り返し実行する。
【００５９】
次に、上記ステップＳ２９では、制御部３５が、上記ユーザ相関図作成部３４として機能することで、各円上に配置したユーザの相関関係を検出し、該各ユーザのユーザ情報同士を、該検出した相関関係に対応する線種の線で結ぶ描画処理を行うことでユーザ相関図を完成する。
【００６０】
具体的には、一例ではあるが、当該実施の形態のユーザ相関図作成システムの場合、各ユーザ間の相関関係が直接相関の相関関係である場合、当該各ユーザのユーザ情報を「直線」で結ぶようになっている。また、各ユーザ間の相関関係が準直接相関の相関関係である場合、当該各ユーザのユーザ情報を「点線」で結ぶようになっている。
【００６１】
また、直接相関或いは準直接相関を示すカメラ画像が、例えば３枚や５枚等のように複数枚検出された場合、上記直線或いは点線の線の太さを、上記カメラ画像の枚数に応じて徐々に太くして描画するようになっている。
【００６２】
例えば、直接相関を示すカメラ画像が１枚検出された場合、制御部３５は、太さ０．７５ｍｍの直線で各ユーザのユーザ情報を結ぶ描画処理を行い、直接相関を示すカメラ画像が３枚検出された場合、制御部３５は、太さ１ｍｍの直線で各ユーザのユーザ情報を結ぶ描画処理を行い、直接相関を示すカメラ画像が５枚以上検出された場合、制御部３５は、太さ３ｍｍの直線で各ユーザのユーザ情報を結ぶ描画処理を行う。
【００６３】
同様に、例えば準直接相関を示すカメラ画像が１枚検出された場合、制御部３５は、太さ０．７５ｍｍの点線で各ユーザのユーザ情報を結ぶ描画処理を行い、準直接相関を示すカメラ画像が３枚検出された場合、制御部３５は、太さ１ｍｍの点線で各ユーザのユーザ情報を結ぶ描画処理を行い、準直接相関を示すカメラ画像が５枚以上検出された場合、制御部３５は、太さ３ｍｍの点線で各ユーザのユーザ情報を結ぶ描画処理を行う。
【００６４】
さらに、例えば３人、或いは５人等の、多数のユーザとの間で直接相関或いは準直接相関の相関関係を有するユーザである場合、制御部３５は、そのユーザのユーザ情報を囲む線を太線とする描画処理を行う。
【００６５】
図９に示すユーザ相関図の場合、ユーザ１とユーザ２は直接相関の相関関係にあることを示しており、ユーザ１とユーザ３は準直接相関の相関関係にあることを示している。また、ユーザ２とユーザ５は直接相関の相関関係にあることを示しており、ユーザ５とユーザ７は準直接相関の相関関係にあることを示している。
【００６６】
また、ユーザ８とユーザ１２は、直接相関を示す多数枚のカメラ画像が検出されたことで、該ユーザ８のユーザ情報とユーザ１２のユーザ情報とを結ぶ直線が太線で描画処理されている。同様に、ユーザ４とユーザ６は、直接相関を示す多数枚のカメラ画像が検出されたことで、該ユーザ４のユーザ情報とユーザ６のユーザ情報とを結ぶ直線が太線で描画処理されている。
【００６７】
また、ユーザ１５は、ユーザ２、ユーザ３、ユーザ６、ユーザ１６及びユーザ１７との間で、それぞれ直接関係の相関関係を有するため、ユーザ１５のユーザ情報が、例えば太線の丸で囲まれる描画処理がなされている。同様に、ユーザ６も、ユーザ４、ユーザ９、ユーザ１０及びユーザ１５との間で、それぞれ直接関係の相関関係を有するため、ユーザ１５のユーザ情報が、例えば太線の丸で囲まれる描画処理がなされている。
【００６８】
このように作成されたユーザ相関図は、図６のフローチャートのステップＳ１５において、制御部３５により、当該ユーザ相関図の作成要求を行ったユーザの端末装置に送信される。
【００６９】
〔ユーザ相関図内の所望のユーザに対するアクセス〕
次に、この実施の形態のユーザ相関図作成システムの場合、ユーザ相関図内に表示された各ユーザのうち、所望のユーザに対して電子メールや電話等により、アクセスを図ることが可能となっている。
【００７０】
例えば、各ユーザのユーザ情報として、該各ユーザの顔写真を用いてユーザ相関図が作成された場合、このユーザ相関図は、各ユーザの顔写真が該各ユーザの相関関係を示す線種の線で結ばれたかたちのユーザ相関図となるのであるが、このようなユーザ相関図を取得したユーザは、当該ユーザの携帯電話機１等の端末装置上で所望のユーザを選択操作する。この場合、相関情報作成サーバ装置３は、作成したユーザ相関図を送信する際に、ユーザ相関図に表示した各ユーザのユーザＩＤも該ユーザ相関図と共に、上記ユーザの携帯電話機１等の端末装置に送信している。
【００７１】
携帯電話機１の制御部２２は、ユーザ相関図上から所望のユーザの選択操作がなされると、上記ユーザ相関図と共に相関情報作成サーバ装置３から送信された各ユーザのユーザＩＤのうち、上記選択操作がなされたユーザのユーザＩＤを検出し、この検出したユーザＩＤを相関情報作成サーバ装置３に送信して、上記選択操作がなされたユーザに対するアクセス要求を行う。
【００７２】
相関情報作成サーバ装置３は、このアクセス要求がなされると、ユーザＤＢ５に登録されている各ユーザの連絡先情報（＝ユーザ登録時に登録された上記電子メールアドレスや電話番号）のうち、携帯電話機１等の端末装置から送信されたユーザＩＤで指定されたユーザの連絡先情報を該ユーザＤＢ５から取得し、これを上記アクセス要求を行ったユーザの携帯電話機１等の端末装置に送信する。
【００７３】
これにより、ユーザ相関図上に表示されているユーザのうち、所望のユーザの連絡先情報を取得することができ、該所望のユーザに対してアクセス（連絡）を図ることを可能とすることができる。なお、この連絡先情報は、登録時に「公開」、「非公開」を設定可能としてもよい。相関情報作成サーバ装置３は、連絡先情報が「非公開」として設定されているユーザの連絡先情報は、アクセス要求がなされても送信（公開）しないことは勿論である。
【００７４】
［実施の形態の効果］
以上の説明から明らかなように、この実施の形態のユーザ相関図作成システムは、ユーザ登録時に自分の代表的な顔写真を登録しておき、以後、所望のタイミングで、相関情報作成サーバ装置３に対してカメラ画像をアップロードする。相関情報作成サーバ装置３は、ユーザからユーザ相関図の作成要求がなされた際に、予め登録されている当該ユーザの顔写真に基づいて、当該ユーザからアップロードされているカメラ画像に対して顔認識処理を施すことで、各カメラ画像に写っている当該ユーザ本人、及び該ユーザ本人と共に写っている共写ユーザを認識する。
【００７５】
また、ユーザ本人と共に写っている共写ユーザは、ユーザ本人と直接相関の相関関係にあるものと判別し、１枚のカメラ画像において、ユーザ本人と共に写っている共写ユーザ同士は準直接相関の相関関係にあるものと判別する。さらに、異なるカメラ画像間における、ユーザ本人と共に写っている共写ユーザ同士は間接相関の相関関係にあるものと判別する。
【００７６】
そして、ユーザ相関図の作成要求を行ったユーザの顔写真、ユーザＩＤ、ユーザ名等のユーザ情報を中心に配置し、この中心に対して同心となる各円上に各ユーザのユーザ情報を配置し、これら各ユーザ情報同士を、上記判別した相関関係を示す線種の線で結んだユーザ相関図を作成して、上記作成要求を行ったユーザの携帯電話機１等の端末装置に送信する。
【００７７】
これにより、ユーザは、ユーザ登録時に自分の代表的な顔写真を登録しておき、以後、所望のタイミングで、相関情報作成サーバ装置３に対してカメラ画像をアップロードするだけの簡単な入力操作を行うだけで、自分が希望した際に、該自分を中心とするユーザ相関図を自動的に取得することができる。
【００７８】
［変形例］
上述の各実施の形態の説明では、端末装置として携帯電話機１やパーソナルコンピュータ装置２を用いることとしたが、この他、ＰＨＳ電話機（PHS：Personal Handyphone System）、ＰＤＡ装置（PDA：Personal Digital Assistant）、携帯ゲーム機、デジタルカメラ装置等の、通信機能を備える他の端末装置を用いてもよい。いずれの場合も上述と同様の効果を得ることができる。
【００７９】
また、上述の実施の形態の説明では、相関情報作成サーバ装置３は、同心円状のユーザ相関図を作成することとしたが、ツリー状（木構造状）、リスト、表、グラフ等のユーザ相関図を作成してもよい。
【００８０】
また、相関情報作成サーバ装置３は、中心から一つ目の円上には各ユーザの顔写真を表示し、中心から二つ目の円上には各ユーザのユーザ名を表示し、中心から三つ目の円上には各ユーザのユーザＩＤを表示する等のように、範囲に応じて表示するユーザ情報を変更したユーザ相関図を作成してもよい。この場合、ユーザ本人に近い間柄のユーザは顔写真で表示されるが、ユーザ本人の友人の友人、ユーザ本人の友人の友人の友人等のように遠い関係になるに連れ、表示されるユーザ情報がユーザ名→ユーザＩＤ等のように希薄なユーザ情報となるため、各ユーザのプライバシーを保護することが可能となる。
【００８１】
最後に、本発明は、一例として説明した上述の実施の形態に限定されることはなく、本発明に係る技術的思想を逸脱しない範囲であれば、設計等に応じて種々の変更が可能であることは勿論であることを付け加えておく。
【図面の簡単な説明】
【００８２】
【図１】本発明を適用した実施の形態となるユーザ相関図作成システムのシステム構成を示す図である。
【図２】実施の形態のユーザ相関図作成システムで用いられる携帯電話機のブロック図である。
【図３】実施の形態のユーザ相関図作成システムにおいてユーザ相関図を作成する相関情報作成サーバ装置のブロック図である。
【図４】実施の形態のユーザ相関図作成システムにおいて、携帯電話機等の端末装置から相関情報作成サーバ装置にカメラ画像をアップロードする流れを示すフローチャートである。
【図５】相関情報作成サーバ装置のユーザデータベースの記憶内容を説明するための図である。
【図６】相関情報作成サーバ装置におけるユーザ相関図を作成して送信するまでの流れを示すフローチャートである。
【図７】相関情報作成サーバ装置におけるユーザ相関図作成の流れを示すフローチャートである。
【図８】各ユーザの相関関係を説明するための図である。
【図９】相関情報作成サーバ装置により作成されたユーザ相関図の一例を示す図である。
【符号の説明】
【００８３】
１  携帯電話機、２  パーソナルコンピュータ装置、３  相関情報作成サーバ装置、４  ネットワーク、５  ユーザデータベース、６  携帯電話機の基地局、１１  携帯電話機のアンテナ、１２  通信回路、１３  スピーカ部、１４  マイクロホン部、１５  表示部、１６  操作部、１７  発光部、１８  カメラ部、１９  バイブレーションユニット、２０  タイマ、２１  メモリ、２２  制御部、３１  通信部、３２  メモリ、３３  同一ユーザ判別部、３４  ユーザ相関図作成部、３５  相関情報作成サーバ装置の制御部
【図１】
2009251832.tif 000003
【図２】
2009251832.tif 000004
【図３】
2009251832.tif 000005
【図４】
2009251832.tif 000006
【図５】
2009251832.tif 000007
【図６】
2009251832.tif 000008
【図７】
2009251832.tif 000009
【図８】
2009251832.tif 000010
【図９】
2009251832.tif 000011